(57)【要約】【課題】汚れがなく美しい仕上りで差替えが可能な画像形成装置を提供する。【解決手段】記録紙に画像を形成する本体部１０と、本体部１０に連結されるとともに所定の用紙を給紙する用紙給紙部３１を有して本体部１０の排紙間に該用紙を挿入して搬送するインサータ３０と、インサータ３０の排紙を保管する第１排紙部５７ｂ〜５７ｅ及び第２排紙部５７ａとを備えた画像形成装置１において、不良ページを差替えページに差し替える差替えモードを設け、前記差替えモードは、本体部１０により差替えページの画像を形成するとともに、インサータ３０が用紙給紙部３１に設置された不良ページを含む記録済用紙束を搬送して不良ページの直後または直前に差替えページを排出し、差替えページを差し替えた記録済用紙束を第１排紙部５７ｂ〜５７ｅに排紙して不良ページを第２排紙部５７ａに排紙する。【選択図】図１
2008139375.tif 000002
【特許請求の範囲】
【請求項１】
記録紙に画像を形成する本体部と、前記本体部に連結されるとともに所定の用紙を給紙する用紙給紙部を有して前記本体部の排紙間に前記用紙を挿入して搬送するインサータと、前記インサータの排紙を保管する第１、第２排紙部とを備えた画像形成装置において、差替えを要する不良ページを差替えページに差し替える差替えモードを設け、前記差替えモードは、前記本体部により前記差替えページの画像を形成するとともに、前記インサータが前記用紙給紙部に設置された前記不良ページを含む記録済用紙束を搬送して前記不良ページの直後または直前に前記差替えページを排出し、前記差替えページを差し替えた前記記録済用紙束を第１排紙部に排紙して前記不良ページを第２排紙部に排紙することを特徴とする画像形成装置。
【請求項２】
前記インサータの後段に配されて第１、第２排紙部が取り付けられるとともに、前記記録済用紙束が複数の部数から成る時に第１排紙部の排紙をソートする後処理装置を備えたことを特徴とする請求項１に記載の画像形成装置。
【請求項３】
前記後処理装置は前記インサータの排紙の穴空け処理を行うとともに、前記差替えページの穴あけを行う際に前記差替えページを除く前記記録済用紙束の穴あけを行うか否かを設定可能にしたことを特徴とする請求項２に記載の画像形成装置。
【請求項４】
記録紙に画像を形成する本体部に連結されるとともに、所定の用紙を給紙する用紙給紙部を有して前記本体部の排紙間に前記用紙を挿入して搬送するインサータにおいて、差替えを要する不良ページを含む記録済用紙束が前記用紙給紙部に設置された際に、前記不良ページの直後または直前に前記本体部により画像形成して供給される差替えページを搬送できることを特徴とするインサータ。
【請求項５】
前記差替えページを差し替えた前記記録済用紙束を保管する第１排紙部と、前記不良ページを保管する第２排紙部とを設けたことを特徴とする請求項４に記載のインサータ。
【発明の詳細な説明】
【技術分野】
【０００１】
本発明は、記録紙に画像を形成する本体部からの排紙に所定の用紙を挿入して排出するインサータ及びそれを備えた画像形成装置に関する。
【背景技術】
【０００２】
従来の画像形成装置は特許文献１に開示されている。この画像形成装置は差替えを要する不良ページを含む記録済用紙束が給紙カセットに装填される。差替え用の原稿を読み込ませると、不良ページを新たに画像形成した差替えページに差し替えて記録済用紙束を排紙する。これにより、手作業で差替えページの差替えを行う必要がなく、画像形成装置の利便性を向上することができる。
【０００３】
【特許文献１】特開２００４−１３３３０７号公報（第４頁−第１５頁、第１図）
【発明の開示】
【発明が解決しようとする課題】
【０００４】
しかしながら、上記従来の画像形成装置によると、給紙カセットに装填される記録済の用紙が画像形成の経路を搬送されるため、トナーの付着等により汚れる場合がある。これにより、差替え後の記録済用紙束が美しい仕上り状態を得ることができない問題があった。
【０００５】
一方、画像形成を行う本体部の後段に配されて本体部の排紙間に所定の用紙を挿入して搬送するインサータが知られている。インサータにより供給される用紙は画像形成の経路を通らずに搬送することができるようになっている。
【０００６】
本発明は、インサータによって汚れがなく美しい仕上り状態で差替えが可能な画像形成装置を提供することを目的とする。また本発明は汚れがなく美しい仕上り状態で差替えが可能なインサータを提供することを目的とする。
【課題を解決するための手段】
【０００７】
上記目的を達成するために本発明は、記録紙に画像を形成する本体部と、前記本体部に連結されるとともに所定の用紙を給紙する用紙給紙部を有して前記本体部の排紙間に前記用紙を挿入して搬送するインサータと、前記インサータの排紙を保管する第１、第２排紙部とを備えた画像形成装置において、差替えを要する不良ページを差替えページに差し替える差替えモードを設け、前記差替えモードは、前記本体部により前記差替えページの画像を形成するとともに、前記インサータが前記用紙給紙部に設置された前記不良ページを含む記録済用紙束を搬送して前記不良ページの直後または直前に前記差替えページを排出し、前記差替えページを差し替えた前記記録済用紙束を第１排紙部に排紙して前記不良ページを第２排紙部に排紙することを特徴としている。
【０００８】
この構成によると、インサータの用紙給紙部に記録済用紙束が設置され、差替えモードが開始されると記録済用紙束がインサータによって順に搬送される。これにより、記録済用紙束の正常なページが第１排紙部に排紙される。予めページ番号を指定された不良ページが用紙給紙部から搬送されると第２排紙部に排紙され、これに続いて本体部で新たに画像形成された差替えページがインサータが搬送して第１排紙部に排紙される。不良ページの直前に差替えページを搬送して排出してもよい。
【０００９】
また本発明は、上記構成の画像形成装置において、前記インサータの後段に配されて第１、第２排紙部が取り付けられるとともに、前記記録済用紙束が複数の部数から成る時に第１排紙部の排紙をソートする後処理装置を備えたことを特徴としている。この構成によると、記録済用紙束が複数の部数から成る場合に後処理装置はインサータから排出される１部毎に第１排紙部の異なる排紙トレイに排紙する。
【００１０】
また本発明は、上記構成の画像形成装置において、前記後処理装置は前記インサータの排紙の穴空け処理を行うとともに、前記差替えページの穴あけを行う際に前記差替えページを除く前記記録済用紙束の穴あけを行うか否かを設定可能にしたことを特徴としている。この構成によると、後処理装置は画像形成した用紙にファイリングのための穴空け加工を施すことができる。穴空け加工を行う設定をした際に、インサータの用紙給紙部から供給される記録済用紙に穴空け加工するか否かが選択される。記録済用紙に穴空け加工しない場合は差替えページのみに穴空け加工が行われる。
【００１１】
また本発明は、記録紙に画像を形成する本体部に連結されるとともに、所定の用紙を給紙する用紙給紙部を有して前記本体部の排紙間に前記用紙を挿入して搬送するインサータにおいて、差替えを要する不良ページを含む記録済用紙束が前記用紙給紙部に設置された際に、前記不良ページの直後または直前に前記本体部により画像形成して供給される差替えページを搬送できることを特徴としている。
【００１２】
この構成によると、用紙給紙部に記録済用紙束が設置され、本体部の指示によって差替えモードが開始されるとインサータは記録済用紙束を順に搬送して排出する。予めページ番号を指定された不良ページを搬送して排出すると、これに続いて本体部で新たに画像形成された差替えページを搬送して排出する。不良ページの直前に差替えページを搬送して排出してもよい。
【００１３】
また本発明は、上記構成のインサータにおいて、前記差替えページを差し替えた前記記録済用紙束を保管する第１排紙部と、前記不良ページを保管する第２排紙部とを設けたことを特徴としている。この構成によると、インサータに第１、第２排紙部が設けられ、差替えページを含む正常なページと、不良ページとが分けて排紙される。
【発明の効果】
【００１４】
本発明によると、本体部の排紙間に用紙給紙部に設置された用紙を挿入して搬送するインサータによって差替えページと不良ページとを連続して搬送するので、記録済用紙束の不良ページを容易に差替えることができる。また、差替えが不要な正常なページが画像形成の経路を通らないため汚れがなく美しい仕上りで差替えを行うことができる。加えて、記録済用紙束を給紙カセットに装填する必要がなく、挿入用用紙をセットするインサータの用紙給紙部に楽にセットできるため、利便性が向上する。
【００１５】
また本発明によると、用紙をソートして排紙できる後処理装置を備えたので、不良ページと差替え済の記録済用紙束とを容易に分けて排紙できるとともに、複数の部数から成る記録済用紙束を容易に分けて排紙できる。
【００１６】
また本発明によると、後処理装置により穴空け処理を行う際に差替えページを除く記録済用紙束の穴あけを行うか否かを設定可能にしたので、差替えページを除く記録済用紙束の二重の穴あけを防止することができる。
【発明を実施するための最良の形態】
【００１７】
以下に本発明の実施形態を図面を参照して説明する。図１は一実施形態の画像形成装置の概略構成を示す正面図である。画像形成装置１はカラー複写機から成り、本体部１０、インサータ３０及び後処理装置５０を備えている。本体部１０は記録紙に画像形成を行う。インサータ３０は本体部１０の排紙間に所定の用紙を挿入して搬送する。後処理装置５０は画像形成された記録紙のソートや穴空け加工等を行う。
【００１８】
本体部１０の上部には原稿を搬送する原稿搬送部１１が設けられる。原稿搬送部１１は原稿給紙トレイ及び原稿搬送部（いずれも不図示）を有し、原稿給紙トレイから供給された原稿を読み取るために搬送する。搬送された原稿はＣＣＤ等のイメージセンサ１２により画像が読み取られる。
【００１９】
本体部１０の下部には記録紙を給紙する記録紙給紙部１６が設けられる。記録紙給紙部１６は複数の給紙カセット１６ｂ、１６ｃ及び用紙反転部１６ａを備えている。用紙反転部１６ａは記録紙の両面に画像を形成する際に片面に画像形成された記録紙を反転させる。
【００２０】
記録紙給紙部１６の上方には画像形成部５が配される。画像形成部５は記録紙給紙部１６から記録紙搬送路１７を介して供給される記録紙に画像を形成する。画像形成部５はシアン、マゼンダ、イエロー、ブラックの各色に対応する複数の感光ドラム１４を備えている。記録紙は感光ドラム１４に対向する無端の搬送ベルト１５によって搬送される。感光ドラム１４の後段には定着装置１７が設けられる。
【００２１】
感光ドラム１４は帯電され、イメージセンサ１２で読み取られた画像情報に応じてレーザー光が照射される。これにより、感光ドラム１４の表面は電荷が消去されて静電潜像が形成される。感光ドラム１４上の静電潜像にはトナーが供給され、トナー画像が顕像化される。各感光ドラム１４の表面に形成されるトナー画像は搬送ベルト１５に搬送される記録紙に重ね合わせて転写される。トナー画像が転写された記録紙は定着装置１７によってトナー画像の定着が行われる。これにより、記録紙上に画像が形成され、記録紙は本体部１０から排出される。
【００２２】
インサータ３０は挿入用の用紙を設置する用紙給紙部３１が設けられる。用紙給紙部３１はインサータ３０の上方に突出したトレイ状に形成され、用紙を容易にセットできるようになっている。インサータ３０の中段には搬送路３２が設けられる。搬送路３２は本体部１０から排出された記録紙を搬送するとともに、用紙給紙部３１から給紙される用紙を搬送する。
【００２３】
後処理装置５０は用紙を搬送する搬送路５１を備えている。画像形成された記録紙及び用紙給紙部３１から供給される用紙はインサータ３０から排出され、搬送路５１により搬送される。搬送路５１にはパンチングによって用紙（以下、「用紙」は画像形成された記録紙を含む場合がある）にファイリングのための穴空け加工を行う穴空け部５２が設けられる。
【００２４】
搬送路５１の後段には用紙を保管する排紙部５７が設けられる。排紙部５７は複数の排紙トレイ５７ａ〜５８ｅから成り、画像形成される記録紙の部数に応じて各部をソートして保管する。
【００２５】
搬送路５１は上方に分岐する分岐路５１ａと下方に分岐する分岐路５１ｂとを有している。分岐路５１ａは詳細を後述するように差替えモード時に不良ページを排紙トレイ５７ａに導く。この時、正常なページが複数の部数から成る場合は排紙トレイ５７ｂ〜５８ｅにソートして保管される。即ち、差替えモード時に正常なページを保管する第１排紙部は排紙トレイ５７ｂ〜５８ｅから成り、不良ページを保管する第２排紙部は排紙トレイ５７ａから成る。
【００２６】
分岐路５１ｂは用紙を一時保管部５３に導く。一時保管部５３には用紙にステープル処理を行うステープラ５４が設けられる。一時保管部５３の下方には一時保管部５５が設けられる。一時保管部５５には用紙の中央部を押圧して用紙を二つ折りする押圧部５６が設けられる。用紙の二つ折りにより形成される小冊子Ｄは保管部５８で保管される。
【００２７】
図２は使用者が操作する操作パネル（不図示）による画像形成装置１の設定画面を示している。設定画面において、「部数」の項目は複写を行う部数を設定できる。「ソート」の項目は複数の部数を複写する場合にソートを行うか否かが設定される。「両面・片面モード」の項目は記録紙の両面に複写するか片面に複写するかが選択される。
【００２８】
「ステープルモード」の項目はステープラ５４によってステープル処理するステープルモードを行うか否かが設定される。ステープルモードを行う場合は「綴じ方」の項目で１点綴じを行うか２点綴じを行うかが選択される。「パンチモード」の項目は穴空け部５２によって穴空け加工するパンチモードを行うか否かが設定される。パンチモードを行う場合は、「記録済用紙」の項目で後述する差替えモード時に用紙給紙部３１から供給される記録済用紙束に穴空け加工を行うか否かが設定される。
【００２９】
「小冊子モード」の項目は押圧部５６によって用紙を二つ折りする小冊子モードを行うか否かが設定される。「インサートモード」の項目はインサータ３０によって用紙を挿入するインサートモードを行うか否かが設定される。インサートモードを行う場合は、「挿入ページ番号」の項目で挿入を行う一または複数のページ番号が設定される。
【００３０】
「差替えモード」の項目は差替えを要する不良ページを含む記録済用紙束から不良ページを差替えページに差し替える差替えモードを行うか否かが設定される。差替えモードを行う場合は、記録済用紙束が複数の部数から成る際に「１部当たりのページ数」の項目で１部当たりのページ数が設定される。また、「差替えページ番号」の項目で差替えを行う一または複数のページ番号が設定される。
【００３１】
上記構成の画像形成装置１において、原稿搬送部１１に原稿がセットされると、原稿を搬送してイメージセンサ１２によって原稿の画像が読み取られる。読み取られた画像情報は画像形成部１３に送られる。画像形成部１３は記録紙給紙部１６から供給される記録紙に画像を形成する。画像形成された記録紙はインサータ３０の搬送路３２及び後処理装置５０の搬送路５１を介して排紙部５７に排紙される。
【００３２】
この時、パンチモードを行うように設定されている場合は、穴空け部５２により記録紙に穴空け加工が行われる。ステープルモードを行うように設定されている場合は、一時保管部５３により用紙束を一時保管してステープラ５４によるステープル処理が行われる。小冊子モードを行うように設定されている場合は、一時保管部５３を通過した用紙束を一時保管部５５で一時保管して押圧部５６により用紙が二つ折りされる。二つ折りされた小冊子Ｄは保管部５８で保管される。
【００３３】
また、インサートモードを行うように設定されている場合は、本体部１０により画像形成された記録紙の所定のページ間に用紙給紙部３１にセットされた用紙が挿入される。これにより、画像形成した記録紙の束に表紙や裏表紙を設けることや、タグ付き用紙を挿入することができる。
【００３４】
差替えモードを行うように設定されている場合は、図３に示すフローチャートに従って差替えモードの動作が行われる。同図において、ステープルモード及び小冊子モードの動作についてはフローチャートが複雑になるため記載を省いている。
【００３５】
ステップ＃１１では既に記録済の記録済用紙束がインサータ３０の用紙給紙部３１にセットされ、差替えを行うページの原稿が本体部１０の原稿搬送部１１にセットされたか否かが判断される。記録済用紙束には差替えを要する不良ページが含まれている。ステップ＃１２は画像形成の開始が指示されたか否かが判断される。記録済用紙束及び原稿がセットされ、画像形成開始の指示があるとステップ＃１３に移行する。
【００３６】
ステップ＃１３ではページ番号を示す変数ｉに１が代入される。ステップ＃１４では現在のページ（ｉページ）が差替えを要するか否かが判断される。現在のページが差替え不要の正常ページ場合はステップ＃２０で用紙給紙部３１の記録済用紙束からこの正常ページが給紙され、ステップ＃２１に移行する。
【００３７】
現在のページが差替え必要な不良ページの場合は、ステップ＃１５で用紙給紙部３１の記録済用紙束からこの不良ページが給紙される。ステップ＃１６では搬送路３２、５１及び分岐路５１ａにより不良ページが排紙トレイ５７ａ（第２排紙部）に搬送される。
【００３８】
ステップ＃１７では原稿搬送部１１によって差替えページの原稿が読み取られる。ステップ＃１８では画像形成部１３によって記録紙に差替えページの画像が形成される。ステップ＃１９では本体部１０から画像形成された差替えページが排紙され、インサータ３０に供給される。これにより、インサータ３０の搬送路３２によって不良ページに連続して差替えページが搬送される。
【００３９】
ステップ＃２１ではパンチモードが選択されているか否かが判断される。この時、ステップ＃２０によって用紙給紙部３１から供給された記録済用紙に穴あけ加工を行うか否かも判断される。パンチモードが選択されていない場合や、用紙給紙部３１からの用紙には穴あけを行わない場合はステップ＃２３に移行する。穴空け加工を行う場合はステップ＃２２に移行する。ステップ＃２２では後処理装置５０の搬送路５１を通る用紙に穴空け加工が行われる。
【００４０】
ステップ＃２３では搬送路５１を介して用紙が排紙トレイ５７ｂ〜５７ｅの一（例えば、排紙トレイ５７ｂ）に排紙される。これにより、正常ページ及び差替えページが第１排紙部に保管される。ステップ＃２４では最終ページ（複数の部数の場合は各部の最終ページ）か否かが判断される。最終ページでない場合はステップ＃２５でページ数を示す変数ｉがインクリメントされ、ステップ＃１４〜＃２５が繰り返し行われる。
【００４１】
最終ページになるとステップ＃２６に移行し、設定された全ての部数が終了したか否かが判断される。全ての部数が終了していない場合はステップ＃２７でソートを行う設定か否かが判断される。ソートを行わない設定の場合はステップ＃１３に移行する。ソートを行う設定の場合は例えば排紙トレイ５７ｃに排紙されるように第１排紙部の排紙トレイが切り替えられ、ステップ＃１３に移行する。そして、ステップ＃１３〜＃２８が繰り返し行われ、全ての部数が終了すると差替えモードを終了する。
【００４２】
本実施形態によると、本体部１０の排紙間に用紙給紙部３１に設置された用紙を挿入して搬送するインサータ３０によって差替えページと不良ページとを連続して搬送するので、記録済用紙束の不良ページを容易に差替えることができる。また、差替えが不要な正常ページが本体部１０の画像形成の経路を通らないため汚れがなく美しい仕上りで差替えを行うことができる。加えて、記録済用紙束を給紙カセット１６ｂ、１６ｃに装填する必要がなく、挿入用用紙をセットするインサータ３０の用紙給紙部３１に楽にセットできるため、利便性が向上する。
【００４３】
また、用紙をソートして排紙できる後処理装置５０を備えたので、不良ページと差替え済の記録済用紙束とを容易に分けて排紙できるとともに、複数の部数から成る記録済用紙束を容易に分けて排紙できる。
【００４４】
また、後処理装置５０により穴空け処理を行う際に差替えページを除く記録済用紙束の穴あけを行うか否かを設定可能にしたので、差替えページを除く記録済用紙束の二重の穴あけを防止することができる。
【００４５】
本実施形態において、ステップ＃１５、＃１６で不良ページを搬送した直後にステップ＃２３で差替えページを搬送しているが、不良ページを搬送する直前に差替えページを搬送してもよい。
【００４６】
また、第１、第２排紙部を有する排紙部５７を後処理装置５０に取り付けているが、後処理装置５０が設けられない場合は排紙部５７をインサータ３０に取り付けてもよい。
【００４７】
また、画像形成装置１はカラー複写機から成っているが、モノクロ複写機やプリンタ等の他の画像形成装置であってもよい。即ち、インサータ３０により用紙を挿入できる画像形成装置において、同様の効果を得ることができる。
【産業上の利用可能性】
【００４８】
本発明によると、記録紙に画像を形成する本体部からの排紙に所定の用紙を挿入して排出するインサータ及びそれを備えた画像形成装置に利用することができる。
【図面の簡単な説明】
【００４９】
【図１】本発明の実施形態の画像形成装置の概略構成を示す正面図
【図２】本発明の実施形態の画像形成装置の設定画面を示す図
【図３】本発明の実施形態の画像形成装置の差替えモードの動作を示すフローチャート
【符号の説明】
【００５０】
１    画像形成装置
１０    本体部
１１    原稿搬送部
１２    イメージセンサ
１３    画像形成部
１４    感光ドラム
１５    搬送ベルト
１６    記録紙給紙部
１７    定着装置
３０    インサータ
３１    用紙給紙部
３２    搬送路
５０    後処理装置
５１    搬送路
５２    穴空け部
５３、５５  一時保管部
５４    ステープラ
５６    押圧部
５７    排紙部
５７ａ  排紙トレイ（第２排紙部）
５７ｂ〜５７ｅ  排紙トレイ（第１排紙部）
【図１】
2008139375.tif 000003
【図２】
2008139375.tif 000004
【図３】
2008139375.tif 000005